(57)【要約】【課題】優しいボールを打撃練習するのではなく、難しいタイミングのボールを打撃練習することで、実戦で投手が投げるボールにより近いボールになり実戦で投手の投げるボールを打撃練習する体勢、感覚で打撃練習ができる打撃練習具及び方法を提供する。【解決手段】水平面に対して傾斜部２を有する反射体１を、ボール衝突部に設置し、ボール４を傾斜部２に衝突反射させる。【選択図】図１
2017121330.tif 000002
【特許請求の範囲】
【請求項１】
水平面に対して傾斜部を有する反射体を、ボール衝突部に設置し、前記ボールを前記傾斜部に衝突反射させることを特徴とする打撃練習用具。
【請求項２】
傾斜部として、凹面状又は傾斜角度が異なる複数の傾斜面又は凹凸面を有することを特徴とする請求項１記載の打撃練習用具。
【請求項３】
ボールを衝突部に投げ、前記衝突部から反射した前記ボールを打撃する練習方法であって、前記ボール衝突部に水平面に対して傾斜部を有する反射体を設置し、前記傾斜部から衝突反射された前記ボールを打撃することを特徴とする打撃練習方法。
【請求項４】
傾斜部として、凹面状又は傾斜角度が異なる複数の傾斜面又は凹凸面を有することを特徴とする請求項３の打撃練習方法。
【発明の詳細な説明】
【技術分野】
【０００１】
本発明は、野球の打撃の向上を図る練習に関する。
【背景技術】
【０００２】
従来のトス打撃練習は、人がトスしたボールを打者が打つ、又は下に置かれた機械からボールが飛び出すものや、上から機械的にボールが落下する物を用いて行っていた。特許文献１はゴルフ練習で傾斜面を用いているが、ゴルフでは傾斜面に止まったボールを打つことが示されている。
【先行技術文献】
【特許文献】
【０００３】
【特許文献１】特開平５−３１７４７７
【発明の概要】
【発明が解決しようとする課題】
【０００４】
従来トス打撃練習に於いては、ボールをトスする人が打者に打ちやすいボールをトスするものであり、又ボールの飛び出しやボールの落下も実戦には不向きなものである。本発明は、優しいボールを打撃練習するのではなく、難しいタイミングのボールを打撃練習することで、実戦で投手が投げるボールにより近いボールになり実戦で投手の投げるボールを打撃練習する体勢、感覚で打撃練習ができる打撃練習具及び方法を提供する。
【課題を解決するための手段】
【０００５】
本発明は、水平面に対して傾斜部を有する反射体を、ボール衝突部に設置し、前記ボールを前記傾斜部に衝突反射させることを特徴とする打撃練習用具を提供する。
また、本発明は、ボールを衝突部に投げ、前記傾斜部から衝突反射した前記ボールを打撃する練習方法であって、前記ボール衝突部に水平面に対して傾斜部を有する反射体を設置し、前記傾斜部から反射された前記ボールを打撃することを特徴とする打撃練習方法を提
供するものである。さらに、本発明は傾斜部として、凹面状又は傾斜角度が異なる複数の傾斜面又は凹凸面を有する打撃練習装置又は方法を提供する
【発明の効果】
【０００６】
本発明を用いた打撃練習では、反射体(マット)に傾斜を付けた計便な練習具を用いることで、トスをする人が打ち易いボールを打撃するだけではなく、傾斜部で衝突反射され変則に跳ね返ったボールを打っことで打撃で一番大切なボールの引き付け、即ち間を取ることの習得に役立つ練習ができる。
【図面の簡単な説明】
【０００７】
【図１】トスされたボールが反射体(マット)に衝突反射したボールを打撃ポイントに来るのを打者が待つ図。
【図２】ポイントに来たボールを打者が打つ図。
【図３】打った後のホロースルーを示す図。
【図４】反射体の正面図。
【図５】図４の反射体の外観図。
【図６】反射体の他の例の正面図。
【図７】図６の反射体の外観図。
【図８】反謝体のさらに他の例の外観図。
【図９】図５と図８を組合せた反射体の外観図。
【発明を実施するための形態】
【０００８】
本発明の打撃練習具の一例及び練習方法を図１から図９に基づいて説明する。図１に示すように、打者の前に反射体(マット)１を置き，アンカー６をアンカー穴７に打ち込み固定する。マット１の位置はホームベースの位置の少し前に置く。従来は、トスする人が通常は直接打者が打ち易いストライクゾーンにトスをするが、この打撃練習具ではトスをする人が地面に置かれた反射体１に向けて投げると反射体表面に傾斜部となる凹凸や斜面や曲線を施してあるために衝突反射したボール４が一球ごと不規則に跳ね返る。このために惰性では打つことが出来ないために、打撃に一番大切な間(タイミング)、ボールの引き付け、ボールの呼び込みの体勢(形)、間(タイミング)を習得できていない打者には引付の体勢や、間(タイミング)が容易に習得できて、又バッテイングには間(タイミング)ボールの引き付け、ボールの呼び込みがいかに大切かと云うことを実感することでバッテイングの技術向上に役立つ。打者はどの様な球が来るのか全て実戦同様に体勢を整え身構えなければ打つことが出来ないため練習の効果が通常のトスバッテイングより、はるかに多く得られる。そして絶えずボールを目で追いかけることで動体視力も同時に鍛えることが出来る。図１〜図３は、図４，図５の傾斜部２として凹面状反射面を有するマット１を用いた打撃練習状態を示す。打者は、不規則に跳ね返るボール４バット５で打撃練習を行うことになる。図１〜３に示すように、打者の内角側から外角側の方向に傾斜面を設けて置くことにより、内角側反射面からのボールは外角側に反射し、外角側の傾斜面からのボールは内角側に反射し、反謝したボール４はストライクゾーンに常時跳ね返させることができる。
【０００９】
図６，図７は凹凸反射面、図８は傾斜面の角度が各々違う傾斜部を有するマット。図９は、傾斜面と凹面を組み合わせたマットを示す。本発明は、これらのマットを適宜使用することで、効果的な打撃練習が可能となる。なお図６，７に示すマットも、反射体１の傾斜部２から反射したボール４をストライクゾーンに跳ね返るようにすることは容易であり、図８，図９のマット１においてもこのように設計することは容易である。
【００１０】
本発明は、打撃練習に使う傾斜面や凹凸はトスされたボールが不規則に反射されるのに利用するものである。ここに提供する打撃練習具は、地上に設置された傾斜部にトスをする人がボールを衝突反射させたボールを打撃するものであり、反射体(マット)に衝突反射し
たボールが不規則に跳ね返るために一定のリズムでは上手く打つことができず、絶えず実戦の投手を想定してなおかつ、ストレート、変化球もマットの傾斜部の形状で何通りも変化するので打撃の一番大切な、間(タイミング)、ボールの引き付け、ボールの呼び込みを習得するのに適する。
【００１１】
本発明の打撃練習具は、反射体表面に凹凸、や斜面、曲線が施されていますが衝突反射したボールは全てストライクゾーンに来るように外側には内側に内側には外側に跳ね返るように傾斜が設けられている。
【産業上の利用可能性】
【００１２】
本発明の打撃練習に於いては、反射体の表面にたとえば凹凸、斜面、曲線を設けるものであり、ボールが不規則に衝突反射するために絶えずボールを目で追うため練習効果は抜群で野球で大切な動体視力を鍛えることもでき、野球の打撃上達に大きく寄与するものである。
【符号の説明】
【００１３】
１  反射体(マット)
２  傾斜部
３  傾斜平面部
４  ボール
５  バット
６  アンカー
７  アンカーの穴
８  傾斜面部
【図１】
2017121330.tif 000003
【図２】
2017121330.tif 000004
【図３】
2017121330.tif 000005
【図４】
2017121330.tif 000006
【図５】
2017121330.tif 000007
【図６】
2017121330.tif 000008
【図７】
2017121330.tif 000009
【図８】
2017121330.tif 000010
【図９】
2017121330.tif 000011